(57)【要約】      （修正有）【課題】入室者が複数いる場合における入室管理の仕組みを提供する。【解決手段】入口の施錠管理を行う施錠システムと通信可能に接続された情報処理装置であって、撮像装置により撮影された映像を入力し、入力した映像に含まれる二次元コードと、人物を検出する。検出した二次元コードの数と、人物の数とが一致するかを判定し、一致すると判定された場合に、施錠システムに対して入口を解錠する旨の指示を出す。【選択図】図１
2018076767.tif 000002
【特許請求の範囲】
【請求項１】
入口の施錠管理を行う施錠システムと通信可能に接続された情報処理装置であって、
撮像装置により撮影された映像を入力する入力手段と、
前記入力手段により入力した映像に含まれる二次元コードを複数検出する二次元コード検出手段と、
前記入力手段により入力した映像に含まれる人物を複数検出する人物検出手段と、
前記二次元コード検出手段により検出した二次元コードの数と、前記人物検出手段により検出した人物の数とが一致するかを判定する判定手段と、
前記判定手段により二次元コードの数と人物の数とが一致すると判定された場合、前記施錠システムに対して、入口を解錠する旨の指示を出す指示手段と、
を備えることを特徴とする情報処理装置。
【請求項２】
二次元コードをグループごとに分けて記憶する記憶手段と、
前記記憶手段により記憶された情報に従い、前記二次元コード検出手段により検出された二次元コードが、同一のグループに所属するかを判定するグループ判定手段と、
を備え、
前記指示手段は、前記グループ判定手段により、前記二次元コード検出手段により検出された二次元コードが同一のグループに所属すると判定された場合に、入口を解錠する旨の指示を出すことを特徴とする請求項１に記載の情報処理装置。
【請求項３】
前記グループ判定手段は、さらに、
前記記憶手段に記憶されたグループに属する二次元コードの全てを前記二次元コード検出手段が検出したかを判定することを特徴とし、
前記指示手段は、前記グループ判定手段により、前記二次元コード検出手段により検出された二次元コードが同一のグループに所属すると判定され、前記記憶手段に記憶されたグループに属する二次元コードの全てを前記二次元コード検出手段が検出したと判定された場合に、入口を解錠する旨の指示を出すことを特徴とする請求項２に記載の情報処理装置。
【請求項４】
前記記憶手段は、さらに、二次元コードと顔画像とを対応付けて記憶することを特徴とし、
前記情報処理装置は、さらに、前記入力手段により入力された映像から、人物の顔を検出する顔検出手段を備え、
前記指示手段は、前記顔検出手段により前記二次元コードに対応付けられた顔画像が検出された場合に、入口を解錠する旨の指示を出すことを特徴とする請求項１または２に記載の情報処理装置。
【請求項５】
前記指示手段は、
前記顔検出手段により検出された前記二次元コードに対応付けられた顔画像の数が、所定の数を満たす場合に、入口を解錠する旨の指示を出すことを特徴とする請求項４に記載の情報処理装置。
【請求項６】
入口の施錠管理を行う施錠システムと通信可能に接続された情報処理装置における情報処理方法であって、
前記情報処理装置の入力手段が、撮像装置により撮影された映像を入力する入力工程と、
前記情報処理装置の二次元コード検出手段が、前記入力工程により入力した映像に含まれる二次元コードを複数検出する二次元コード検出工程と、
前記情報処理装置の人物検出手段が、前記入力工程により入力した映像に含まれる人物を複数検出する人物検出工程と、
前記情報処理装置の判定手段が、前記二次元コード検出工程により検出した二次元コードの数と、前記人物検出工程により検出した人物の数とが一致するかを判定する判定工程と、
前記情報処理装置の指示手段が、前記判定工程により二次元コードの数と人物の数とが一致すると判定された場合、前記施錠システムに対して、入口を解錠する旨の指示を出す指示工程と、
を備えることを特徴とする情報処理方法。
【請求項７】
入口の施錠管理を行う施錠システムと通信可能に接続された情報処理装置において実行可能なプログラムであって、
前記情報処理装置を、
撮像装置により撮影された映像を入力する入力手段と、
前記入力手段により入力した映像に含まれる二次元コードを複数検出する二次元コード検出手段と、
前記入力手段により入力した映像に含まれる人物を複数検出する人物検出手段と、
前記二次元コード検出手段により検出した二次元コードの数と、前記人物検出手段により検出した人物の数とが一致するかを判定する判定手段と、
前記判定手段により二次元コードの数と人物の数とが一致すると判定された場合、前記施錠システムに対して、入口を解錠する旨の指示を出す指示手段として機能させることを特徴とするプログラム。
【発明の詳細な説明】
【技術分野】
【０００１】
本発明は、情報処理装置、情報処理方法、プログラムに関する。
【背景技術】
【０００２】
オフィスにおけるセキュリティ対策の一環として、フロアや居室に外部の第三者が入らないよう、入口を施錠し、特定の人物（当該フロアや居室で業務を行う社員など）にのみ解錠権限を与えている。
【０００３】
近年では、ＩＣカードを用いて解錠することができる仕組みが多く使われている。具体的には、入口付近に設置されたＩＣカードリーダにＩＣカードをかざすことで、解錠権限のあるＩＣカードがかざされた場合に、入口を解錠するといった仕組みとなっている。
【０００４】
特許文献１には、ＩＣカードを用いた入室管理の仕組みが開示されている。
【先行技術文献】
【特許文献】
【０００５】
【特許文献１】特開２０００−３０６１３０号公報
【発明の開示】
【発明が解決しようとする課題】
【０００６】
しかしながら、特許文献１をはじめとするＩＣカードを用いた入室管理システムにおいては、一人一人が順番にＩＣカードをリーダにかざさなければならない。
【０００７】
そのため、単独では入ることができず複数人でなければ入ることができない場所への立ち入りを管理することができず、例えばオフィスにおける応接室のように、社員がいなければ入ることはできないが、社員だけでの利用が禁止されている場所への入室を管理することができない。
【０００８】
そこで本発明は、入室者が複数いる場合における入室管理の仕組みを提供することを目的とする。
【課題を解決するための手段】
【０００９】
本発明は、入口の施錠管理を行う施錠システムと通信可能に接続された情報処理装置であって、撮像装置により撮影された映像を入力する入力手段と、前記入力手段により入力した映像に含まれる二次元コードを複数検出する二次元コード検出手段と、前記入力手段により入力した映像に含まれる人物を複数検出する人物検出手段と、前記二次元コード検出手段により検出した二次元コードの数と、前記人物検出手段により検出した人物の数とが一致するかを判定する判定手段と、前記判定手段により二次元コードの数と人物の数とが一致すると判定された場合、前記施錠システムに対して、入口を解錠する旨の指示を出す指示手段と、を備えることを特徴とする。
【００１０】
また、本発明は、入口の施錠管理を行う施錠システムと通信可能に接続された情報処理装置における情報処理方法であって、前記情報処理装置の入力手段が、撮像装置により撮影された映像を入力する入力工程と、前記情報処理装置の二次元コード検出手段が、前記入力工程により入力した映像に含まれる二次元コードを複数検出する二次元コード検出工程と、前記情報処理装置の人物検出手段が、前記入力工程により入力した映像に含まれる人物を複数検出する人物検出工程と、前記情報処理装置の判定手段が、前記二次元コード検出工程により検出した二次元コードの数と、前記人物検出工程により検出した人物の数とが一致するかを判定する判定工程と、前記情報処理装置の指示手段が、前記判定工程により二次元コードの数と人物の数とが一致すると判定された場合、前記施錠システムに対して、入口を解錠する旨の指示を出す指示工程と、を備えることを特徴とする。
【００１１】
また、本発明は、入口の施錠管理を行う施錠システムと通信可能に接続された情報処理装置において実行可能なプログラムであって、前記情報処理装置を、撮像装置により撮影された映像を入力する入力手段と、前記入力手段により入力した映像に含まれる二次元コードを複数検出する二次元コード検出手段と、前記入力手段により入力した映像に含まれる人物を複数検出する人物検出手段と、前記二次元コード検出手段により検出した二次元コードの数と、前記人物検出手段により検出した人物の数とが一致するかを判定する判定手段と、前記判定手段により二次元コードの数と人物の数とが一致すると判定された場合、前記施錠システムに対して、入口を解錠する旨の指示を出す指示手段として機能させることを特徴とする。
【発明の効果】
【００１２】
本発明によれば、入室者が複数いる場合における入室管理の仕組みを提供することが可能となる。
【図面の簡単な説明】
【００１３】
【図１】本発明における施錠管理システムのシステム構成を示す図である
【図２】情報処理装置１０１のハードウエア構成を示す図である
【図３】第１の実施形態における解錠制御処理を示すフローチャートである
【図４】第２の実施形態における解錠制御処理を示すフローチャートである
【図５】第３の実施形態における解錠制御処理を示すフローチャートである
【図６】第１の実施形態におけるマスタテーブルの一例を示す図である
【図７】第２の実施形態におけるマスタテーブルの一例を示す図である
【図８】第３の実施形態におけるマスタテーブルの一例を示す図である
【図９】各グループにおける会議室の利用登録を示したテーブルの一例を示す図である
【図１０】各会議室のセキュリティレベルが登録されたテーブルの一例を示す図である
【図１１】二次元コードの一例を示す図
【図１２】ネットワークカメラと会議室とが対応付けて登録されたテーブルの一例を示す図
【発明を実施するための形態】
【００１４】
図１を用いて、本発明の施錠管理システム１００について説明する。
【００１５】
本発明の施錠管理システム１００は、図１に示すとおり、情報処理装置１０１、ネットワークカメラ（撮像装置）１０２、施錠システム１０３とから構成され、それぞれがネットワークにより通信可能に接続されている。
【００１６】
入室者１０４は、二次元コード１０５をネットワークカメラ１０２に向け、撮影させる。
【００１７】
ネットワークカメラ１０２は、撮影された映像を情報処理装置１０１にネットワーク経由で送信する。
【００１８】
情報処理装置１０１は、ネットワークカメラ１０２により撮影された映像を取得し、解析する。情報処理装置１０１における解析処理については、図３、図４、図５などを用いて後述する。情報処理装置１０１は、解析した内容に基づき、会議室の入口１０６を解錠して良いかを判断し、解錠して良いと判断した場合は、施錠システム１０３に当該入口を解錠すべき旨の指示を出す。
【００１９】
施錠システム１０３は、情報処理装置１０１からの指示に従い、当該入口を解錠する。なお、入口は普段は施錠されている状態であり、情報処理装置１０１から指示があった場合に解錠するものとする。
【００２０】
以上が本発明における施錠管理システム１００の全体像である。
【００２１】
以下、図２を用いて、図１に示した情報処理装置１０１のハードウエア構成の一例について説明する。
【００２２】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２３】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２４】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２５】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２６】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２７】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２８】
ハードウエア上で動作する各種プログラムは、外部メモリ２１１に記録されており、必要に応じてＲＡＭ２０２にロードされることによりＣＰＵ２０１によって実行されるものである。
【００２９】
なお、全ての装置がこれらの構成を備えているわけではなく、必要なものを備えていればよい。
＜第１の実施形態＞
【００３０】
次に図３を用いて、本発明の第１の実施形態における解錠制御処理について説明する。
【００３１】
なお、図３のフローチャートに示す処理は、情報処理装置１０１のＣＰＵ２０１が所定の制御プログラムを読み出して実行する処理である。
【００３２】
ステップＳ３０１では、情報処理装置１０１のＣＰＵ２０１は、撮像装置（カメラ）により撮影された映像を取得する。また、当該映像を撮影した撮像装置を識別する情報（ＩＤ）を、当該撮像装置から取得する。
【００３３】
ステップＳ３０２では、情報処理装置１０１のＣＰＵ２０１は、ステップＳ３０１で取得した映像を解析する。具体的には、ステップＳ３０１で取得した映像に映っている二次元コードを検出し、当該二次元コードが示すＩＤ（識別情報）を取得する処理を実行する。また、解析する際には、例えば取得した映像データをフレームごとに抽出し、画像データ（静止画）として解析するといった処理が行われる。
【００３４】
なお、本発明の実施形態における二次元コードとは、例えば特開２０１２−７８９７３号公報にあるように、複数のセルが配列されて構成されるコードのことをいう。特開２０１２−７８９７３号公報に記載された二次元コードは、静止画中に当該二次元コードが含まれている場合、当該二次元コードのＩＤ（識別情報）と、当該二次元コードの静止画中の位置（座標）とが取得されるという特徴を有するものである。なお、本実施形態においては、二次元コードを検出し、そのＩＤと静止画中の位置（座標）を取得するアプリケーションは、情報処理装置１０１が有しているものとする。
【００３５】
なお、二次元コードについては、一度に複数の二次元コードを認識できるものであればいずれでもよい。二次元コードの一例を図１２に示す。
【００３６】
ステップＳ３０３では、情報処理装置１０１のＣＰＵ２０１は、ステップＳ３０２で取得したＩＤのすべてがマスタテーブル（一例として図６）に登録されているかを判断する。
【００３７】
すなわち、会議室を利用するユーザとして登録されていない人物が含まれているかを判定する。
【００３８】
取得したすべてのＩＤがマスタテーブルに登録されている場合（ステップＳ３０３：ＹＥＳ）は、処理をステップＳ３０４に移行する。
【００３９】
マスタテーブルに登録されていないＩＤがある場合（ステップＳ３０３：ＮＯ）は、本フローチャートに示す処理を終了する。すなわち、会議室を利用するユーザ以外の人物が会議室を利用することができないようにするため、入口を解錠しない。この際、解錠できない旨のエラー情報を発信しても良い。ステップＳ３０４、Ｓ３０５、Ｓ３０６、においてＮＯと判定された場合も同様である。
【００４０】
ステップＳ３０４では、情報処理装置１０１のＣＰＵ２０１は、ステップＳ３０２で取得した全てのＩＤが同一のグループに所属しているか否かについて、マスタテーブルを用いて判定する。
【００４１】
図６に示すように、マスタテーブルでは、二次元コード情報（ＩＤ）とグループとが対応付けられているものとする。
【００４２】
全てのＩＤが同一のグループに所属している場合（ステップＳ３０４：ＹＥＳ）は、処理をステップＳ３０５に移行する。
【００４３】
異なるグループに所属するＩＤが含まれる場合（ステップＳ３０４：ＮＯ）は、本フローチャートの処理を終了する。
【００４４】
ステップＳ３０５では、情報処理装置１０１のＣＰＵ２０１は、ステップＳ３０２で取得したＩＤの個数と、ステップＳ３０４で判定されたグループに所属するＩＤの個数とが一致するかを判定する。すなわち、同一グループに所属するＩＤを全て取得できたか（不足しているＩＤがないか）を判定する。
【００４５】
一致する場合（ステップＳ３０５：ＹＥＳ）は、処理をステップＳ３０６に移行する。
【００４６】
一致しない場合（ステップＳ３０５：ＮＯ）は、本フローチャートに示す処理を終了する。
【００４７】
ステップＳ３０６では、情報処理装置１０１のＣＰＵ２０１は、ステップＳ３０２で取得したＩＤの個数と、当該解析対象の映像に映っている人物の数が一致するかを判定する。
【００４８】
すなわち、一人で２つ以上の二次元コードを持っていることがないかを判定する。例えばステップＳ３０５で不足しているＩＤがないと判定された場合であっても、一人が２つ以上の二次元コードを所持していた場合には、入室する人物が全員がそろっていないことになる。そこで、本ステップによる処理で、全員が揃っていることを確認する。
【００４９】
なお、人物の数については、公知の顔検出技術などを用いることで判断することが可能である。
【００５０】
一致する場合（ステップＳ３０６：ＹＥＳ）は、処理をステップＳ３０７に移行する。
【００５１】
一致しない場合（ステップＳ３０６：ＮＯ）は、本フローチャートの処理を終了する。
【００５２】
ステップＳ３０７では、情報処理装置１０１のＣＰＵ２０１は、施錠システムに対して、解錠すべき指示を出す。そして本フローチャートの処理を終了する。
【００５３】
なお、施錠システムでは、ステップＳ３０７における情報処理装置からの解錠指示に従い、入口を解錠する。
【００５４】
なお、どこの入口を解錠するかについては、ネットワークカメラの識別情報と、当該ネットワークカメラが監視している（担当している）入口とを対応付けたデータテーブル（一例として図１１）に基づき、ステップＳ３０１で取得したＩＤにより決定される。すなわち、ステップＳ３０１で取得した映像を撮影したネットワークカメラ（ステップＳ３０１で取得したカメラＩＤ）と対応付けられた入口を解錠する。
【００５５】
図６は、本発明の第１の実施形態において情報処理装置１０１に記憶されたマスタテーブルの一例である。図６に示すように、グループと二次元コード情報（ＩＤ）と、区分とから構成されている。
＜第２の実施形態＞
【００５６】
次に、図４を用いて、本発明の第２の実施形態における解錠制御処理について説明する。
【００５７】
なお、図４のフローチャートに示す処理は、情報処理装置１０１のＣＰＵ２０１が所定の制御プログラムを読み出して実行する処理である。
【００５８】
ここで、図４におけるステップＳ３０１〜Ｓ３０７の処理は、図３におけるＳ３０１〜Ｓ３０７の処理と同様の処理であるため、ここでの説明は省略する。本実施形態（第２の実施形態）は、第１の実施形態におけるステップＳ３０６の処理のあとに、Ｓ４０１に示す処理を追加した実施形態である。
【００５９】
なお、第２の実施形態においては、図７に示すマスタテーブルが用いられる。
【００６０】
ステップＳ４０１では、情報処理装置１０１のＣＰＵ２０１は、ステップＳ３０２で解析した映像に含まれる顔と、ステップＳ３０２で取得したＩＤにより特定される顔画像（図７に示すマスタテーブルにより特定される顔画像）とを比較し、同一人物の顔であるかを判定する。具体的には、例えば、図７に示す顔画像の特徴量とステップＳ３０２で解析した映像に含まれる顔の特徴量との類似度を算出し、当該算出された類似度が所定の値を満たすか否かにより判定することが可能である。
【００６１】
同一人物の顔であると判定された場合（ステップＳ４０１：ＹＥＳ）は、処理をステップＳ３０７に移行する。
【００６２】
同一人物の顔ではないと判定された場合（ステップＳ４０１：ＮＯ）は、本フローチャートの処理を終了する。
【００６３】
このように、本実施形態では、マスタテーブルに登録された顔画像に基づき、顔認識処理を行う。これにより、例えば二次元コードが複製され、他人がなりすまして入室しようとした場合でも、顔認識との組み合わせにより他人の入室を防ぐことが可能となる。
＜第３の実施形態＞
【００６４】
次に、図５を用いて、本発明の第３の実施形態における解錠制御処理について説明する。
【００６５】
なお、図５のフローチャートに示す処理は、情報処理装置１０１のＣＰＵ２０１が所定の制御プログラムを読み出して実行する処理である。
【００６６】
ここで、図５におけるステップＳ３０１〜Ｓ３０７の処理は、図３におけるＳ３０１〜Ｓ３０７の処理と同様の処理であり、ステップＳ４０１の処理は図４におけるＳ４０１と同様の処理であるため、ここでの説明は省略する。本実施形態（第３の実施形態）は、第２の実施形態におけるステップＳ４０１の処理のあとに、Ｓ５０１に示す処理を追加した実施形態である。
【００６７】
なお、第３の実施形態においては、図８に示すマスタテーブルが用いられる。
【００６８】
ステップＳ５０１では、情報処理装置１０１のＣＰＵ２０１は、ステップＳ４０１で同一人物であると判定された顔の数が、図１０に示すセキュリティレベルで設定した数値を満たすかを判定する。
【００６９】
例えば、図１０において、２０６会議室への入室は、同一人物であると判定された顔が２つ以上なければならないことを意味する。同様に、３０２会議室は１つ、応接室は３つ以上が必要であることを意味する。
【００７０】
いずれの会議室への入室しようとしているかについては、ステップＳ３０１で取得したネットワークカメラの識別情報から特定することが可能である。
【００７１】
セキュリティレベルを満たすと判定された場合（ステップＳ５０１：ＹＥＳ）は、処理をステップＳ３０７に移行する。
【００７２】
セキュリティレベルを満たさないと判定された場合（ステップＳ５０１：ＮＯ）は、本フローチャートに示す処理を終了する。
【００７３】
また、図９に示すように、予めどのグループがどの会議室を利用するかを登録しておき、当該登録されたグループは登録された会議室しか利用できないように制御してもよい。
【００７４】
以上のように、本実施形態においては、入室のための条件を厳しく設定することが可能となり、高いセキュリティを確保することが可能となる。
【００７５】
なお、第１の実施形態〜第３の実施形態において、会議室への入室を例に挙げて説明したが、本発明の適用対象は、会議室への入室に限られるものでなく、建物への入館やフロアへの入室、会場への入場などへ適用することも可能である。
【００７６】
なお、上述した各種データの構成及びその内容はこれに限定されるものではなく、用途や目的に応じて、様々な構成や内容で構成されることは言うまでもない。
【００７７】
また、本発明におけるプログラムは、図３、図４、図５の処理をコンピュータに実行させるプログラムである。なお、本発明におけるプログラムは、図３、図４、図５の各処理ごとのプログラムであってもよい。
【００７８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００７９】
この場合、記録媒体から読み出されたプログラム自体が本発明の新規な機能を実現することになり、そのプログラムを記録した記録媒体は本発明を構成することになる。
【００８０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００８１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８３】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００８５】
１００  施錠管理システム
１０１  情報処理装置
１０２  ネットワークカメラ
１０３  施錠システム
【図１】
2018076767.tif 000003
【図２】
2018076767.tif 000004
【図３】
2018076767.tif 000005
【図４】
2018076767.tif 000006
【図５】
2018076767.tif 000007
【図６】
2018076767.tif 000008
【図７】
2018076767.tif 000009
【図８】
2018076767.tif 000010
【図９】
2018076767.tif 000011
【図１０】
2018076767.tif 000012
【図１１】
2018076767.tif 000013
【図１２】
2018076767.tif 000014